(57)【要約】【課題】視差バリアを用いずに異なる方向へ映像を表示する液晶ディスプレイにおいて、所定方向に対して映像非表示状態とされた場合に、ちらつきを抑制できる液晶表示装置及び液晶表示システムを提供する。【解決手段】透過型の液晶パネルと、液晶パネルを照明する第１の光源及び第２の光源とを有する液晶表示装置において、第１の映像が表示状態であり、かつ第２の映像が非表示状態である場合には、第１の光源が点灯されない所定間隔の間、第２の光源を、第１の光源の点灯により第２の方向へ生じる光漏れ量に応じて設定された所定光量で点灯させることで、第２の方向に対するちらつきを抑制する。【選択図】図８
2011252940.tif 000002
【特許請求の範囲】
【請求項１】
第１の方向に対する第１の映像と前記第１の方向とは異なる第２の方向に対する第２の映像とを表示する透過型の液晶パネルと、
前記液晶パネルを照明し、前記第１の方向へ出射される第１の光源と、
前記液晶パネルを照明し、前記第２の方向へ出射される第２の光源と、
前記第１の映像を表示するための第１の信号と前記第２の映像を表示するための第２の信号とを所定間隔毎に交互に出力するとともに、前記第１の光源を前記第１の信号の出力に同期させ、かつ、前記第２の光源を前記第２の信号の出力に同期させて、前記所定間隔毎に交互に点灯させる前記制御手段とを有する液晶表示装置において、
前記制御手段は、
前記第１の映像が表示状態であり、かつ前記第２の映像が非表示状態である場合には、前記第１の光源が点灯されない前記所定間隔の間、前記第２の光源を、前記第１の光源の点灯により前記第２の方向へ生じる光漏れ量に応じて設定された所定光量で点灯させることを特徴とする液晶表示装置。
【請求項２】
前記制御手段は、
前記所定光量として、前記光漏れ量と同量の光が前記第２の方向へ出射されるような光量を設定することを特徴とする請求項１に記載の液晶表示装置。
【請求項３】
前記制御手段は、
前記所定の光量として、前記第１の光源と前記第２の光源との距離に応じた光量を設定することを特徴とする請求項１又は２に記載の液晶表示装置。
【請求項４】
互いに異なる複数方向に対する複数の映像を表示する透過型の液晶パネルと、
前記液晶パネルを照明し、前記複数方向へ出射される複数の光源と、
前記複数の映像を表示させるための各信号を所定間隔毎に順にオン／オフするとともに、前記各信号のオン／オフに同期させて、対応する前記複数の光源を前記所定間隔毎に順に点灯／消灯させる制御手段とを有する液晶表示装置において、
前記制御手段は、
前記複数方向のうち所定方向に対する映像が非表示状態であり、かつ残余の方向に対する映像が表示状態である場合には、前記残余の方向に対応する光源すべてが消灯している間は、前記所定方向に対応する光源を、前記残余の方向に対応する光源の点灯により前記所定方向へ生じる光漏れ量に応じて設定された所定の光量で点灯させることを特徴とする液晶表示装置。
【請求項５】
前記制御手段は、
前記所定の光量として、前記残余の方向に対応する光源の点灯による光漏れ量の平均値と同量の光が、前記所定方向へ出射されるような光量を設定することを特徴とする請求項４に記載の液晶表示装置。
【請求項６】
前記制御手段は、
前記所定の光量として、前記所定方向に対応する光源と前記残余の方向に対応する光源との距離に応じた光量を設定することを特徴とする請求項４又は５に記載の液晶表示装置。
【請求項７】
前記映像が表示状態とされた方向に対する明るさの値を設定する明るさ設定手段とを備え、
前記制御手段は、
前記所定の光量として、前記明るさ設定手段により設定された明るさの値に応じた光量を設定することを特徴とする請求項１乃至６いずれかに記載の液晶表示装置。
【請求項８】
請求項１乃至７いずれかに記載の液晶表示装置を車両に搭載した車両用液晶表示装置において、
前記制御手段は、
乗員若しくは前記車両の状況に基づいて、いずれかの方向に対して映像を非表示状態とすべき状況か否かを判断することを特徴とする車両用液晶表示装置。
【請求項９】
前記車両の座席に乗員が着座しているか否かを判定する着座判定手段と、を備え、
前記制御手段は、前記着座判定手段により乗員が着座していない座席があると判定した場合、前記座席の方向に対する映像を非表示状態とすることを特徴とする請求項８に記載の車両用液晶表示装置。
【請求項１０】
前記車両の乗員に対して表示すべき情報があるか否かを判定する表示情報有無判定手段と、を備え、
前記制御手段は、前記表示情報有無判定手段により乗員に対して表示すべき情報がないと判定した場合、前記乗員の方向に対する映像を非表示状態とすることを特徴とする請求項８又は９に記載の車両用液晶表示装置。
【請求項１１】
前記車両の乗員から所定の操作による指示があるか否かを判定する操作状況判定手段と、を備え、
前記制御手段は、前記操作状況判定手段により乗員からの指示がないと判定した場合、前記乗員の方向に対する映像を非表示状態とすることを特徴とする請求項８乃至１０いずれかに記載の車両用液晶表示装置。
【請求項１２】
前記車両が危険な地帯を走行中であるか否かを判定する道路状況判定手段と、を備え、
前記制御手段は、前記道路状況判定手段により危険な地帯を走行中であると判定した場合、前記車両の運転者の方向に対する映像を非表示状態とすることを特徴とする請求項８乃至１１いずれかに記載の車両用液晶表示装置。
【請求項１３】
前記車両の運転者が前記液晶パネルの画面を見ても安全な状況であるか否かを判定する走行状況判定手段と、を備え、
前記制御手段は、前記走行状況判定手段により安全な状況でないと判定した場合、前記運転者の方向に対する映像を非表示状態とすることを特徴とする請求項８乃至１２いずれかに記載の車両用液晶表示装置。
【請求項１４】
前記車両の運転者の視線が前記液晶パネルの画面に向いているか否かを判定するユーザ状況判定手段と、を備え、
前記制御手段は、前記ユーザ状況判定手段により前記運転者の視線が前記液晶パネルの画面に向いていないと判定した場合、前記運転者の方向に対する映像を非表示状態とすることを特徴とする請求項８乃至１３いずれかに記載の車両用液晶表示装置。
【発明の詳細な説明】
【技術分野】
【０００１】
本発明は、異なる複数の方向から異なる複数の映像を鑑賞できる液晶表示装置及び車両用液晶表示装置に関する。
【背景技術】
【０００２】
見る角度によって異なる映像を表示することができる液晶表示装置として、デュアルビュー液晶ディスプレイのように、視差バリアを用いて、バックライトからの光を左右に分離する方式のものがある。しかし、この方式によると、視差バリアにより光が遮られるため光利用効率が悪くなり、画面を必要な明るさで表示させようとすると消費電力が大きくなるという欠点があった。
【０００３】
そのため、特許文献１や特許文献２に記載されるように、視差バリアを用いることなく、異なる複数の方向に映像を表示する方式が提案されている。この方式では、画像同士の重なりを防ぐため、左側画像と右側画像を時分割的に交互に生成する。すなわち、図１８のタイムチャートで示されるように、左側表示用の画素は、左側照明用の光源の点灯と同期して左側映像を生成し、右側照明用の光源の点灯時には遮蔽状態とする。同様に、右側表示用の画素は右側照明用の光源の点灯と同期して右側映像を生成し、左側照明用の光源の点灯時には遮蔽状態とする。これにより、視差バリアを用いなくとも、左側では左側映像のみを鑑賞することができ、右側では右側映像のみを鑑賞することができることとなる。
【先行技術文献】
【特許文献】
【０００４】
【特許文献１】特開２００７−１６４０３１号
【特許文献２】特開２００９−９３９８９号
【発明の概要】
【発明が解決しようとする課題】
【０００５】
しかしながら、上記のような視差バリアを用いないマルチビュー液晶表示装置において、例えば、右側を映像非表示状態（画面表示オフ）とする場合、図１９に示すタイムチャートのように、右側表示用の画素及び右側照明用の光源は常時ＯＦＦとなる。一方、左側は映像表示状態（画面表示オン）であるため、左側照明用の光源はＯＮとＯＦＦとを繰り返す。そして、視差バリアにより光が遮られることがないため、左側照明用の光源から出射された光の一部が右側に漏れ、映像非表示状態の画面にちらつきが生じ、ユーザに不快感を与えるという問題が生じる。
【０００６】
本発明はこのような問題に鑑みてなされたものであり、視差バリアを用いないマルチビュー液晶表示装置において、所定方向に対して映像非表示状態としたときに生じるちらつきを抑制することが可能な液晶表示装置を提供することを目的とする。
【課題を解決するための手段】
【０００７】
上記目的を達成するために成された請求項１に記載の発明は、第１の方向に対する第１の映像と第１の方向とは異なる第２の方向に対する第２の映像とを表示する透過型の液晶パネルと、液晶パネルを照明し、第１の方向へ出射される第１の光源と、液晶パネルを照明し、第２の方向へ出射される第２の光源と、第１の映像を表示するための第１の信号と第２の映像を表示するための第２の信号とを所定間隔毎に交互に出力するとともに、第１の光源を第１の信号の出力に同期させ、かつ、第２の光源を第２の信号の出力に同期させて、所定間隔毎に交互に点灯させる制御手段を有する液晶表示装置とする。かかる制御手段は、第１の映像が表示状態であり、かつ第２の映像が非表示状態である場合には、第１の光源が点灯されない所定間隔の間、第２の光源を、第１の光源の点灯により第２の方向へ生じる光漏れ量に応じて設定された所定光量で点灯させることを特徴とする。
【０００８】
このように、請求項１に記載の発明においては、映像非表示状態とされた第２の方向へ出射される第２の光源を常時消灯とせず、第１の光源が点灯されない所定間隔の間、第２の光源を所定光量で点灯する。すなわち、第１の信号の出力に同期して第１の光源が点灯される所定間隔の間は第２の光源を消灯し、第１の信号が出力されず第１の光源が消灯される所定間隔の間は第２の光源を所定光量で点灯する。そして、この所定光量は、第１の光源の点灯により第２の方向へ生じる光漏れ量に応じて設定する。これにより、映像が非表示状態とされた第２の方向に対する輝度が均一化され、ちらつきを抑制することができる。
【０００９】
また、第１の信号と第２の信号とを所定間隔毎に交互に出力することで、視差バリアを用いることなく異なる方向に異なる映像を表示することができる。このため、光利用効率を高めることができる。なお、この所定間隔は、例えば、第１の信号若しくは第２の信号のオン／オフが繰り返されても、第１の方向に対する映像若しくは第２方向に対する映像が、残像によって滑らかに鑑賞可能な程度に短く設定されている。また、第１の映像と第２の映像とは、必ずしも異なる映像である必要はなく、同一の映像であってもよい。
【００１０】
かかる光量は、請求項２に記載された発明のように、光漏れ量と同量の光が第２の方向へ出射される光量を設定するとよい。また、請求項３に記載された発明のように、第１の光源と第２の光源との距離に応じた値を設定してもよい。これにより、第２の方向に対する輝度を精度良く均一化することができる。
【００１１】
また、上記目的を達成するために成された請求項４に記載の発明は、互いに異なる複数方向に対する複数の映像を表示する透過型の液晶パネルと、液晶パネルを照明し、複数方向へ出射される複数の光源と、複数の映像を表示させるための各信号を所定間隔毎に順にオン／オフするとともに、各信号のオン／オフに同期させて、対応する複数の光源を所定間隔毎に順に点灯／消灯させる制御手段を有する液晶表示装置とする。かかる制御手段は、複数方向のうち所定方向に対する映像が非表示状態であり、かつ残余の方向に対する映像が表示状態である場合には、残余の方向に対応する光源すべてが消灯している間は、所定方向に対応する光源を、残余の方向に対応する光源の点灯により所定方向へ生じる光漏れ量に応じて設定された所定の光量で点灯させることを特徴とする。
【００１２】
このように、請求項４に記載の発明においては、映像が表示状態とされた残余の方向が複数ある場合、当該所定の光量は、その残余の方向に対する各光源から生じる光漏れ量に応じて設定する。これにより、残余の方向に対する光源が所定間隔毎に順に点灯された場合であっても、映像が非表示状態とされた所定方向に対する輝度を均一に近づけることができ、ちらつきを緩和することができる。
【００１３】
一方、映像が非表示状態とされた所定方向が複数ある場合、残余の方向に対する光源すべてが消灯している間、これら所定方向に対する光源を所定の光量で点灯させる。これにより、映像が非表示状態とされたいずれの所定方向においても、輝度を均一に近づけることができ、ちらつきを緩和することができる。
【００１４】
また、複数の映像を表示させるための信号を所定間隔毎に順に出力することで、視差バリアを用いることなく異なる方向に異なる映像を表示することができる。このため、光利用効率を高めることができる。なお、この所定間隔は、例えば、各信号のオン／オフが繰り返されても、それぞれの方向に対する映像が、残像によって滑らかに鑑賞可能な程度に短く設定されている。また、複数の映像は、すべて異なる映像である必要はなく、同一の映像を含んでいてもよい。
【００１５】
かかる所定の光量は、請求項５に記載された発明のように、残余の方向に対する光源の点灯による光漏れ量の平均値と同量の光が所定方向へ出射されるような光量を設定してもよい。特に、残余の方向に対する各光源から生じる光漏れ量が異なる場合に、有効な手段となる。光漏れ量の平均値と同量の光が出射されるような光量で点灯することにより、所定方向に対する輝度を均一に近づけることができ、ちらつきを緩和することができる。
【００１６】
また、かかる所定の光量として、請求項６に記載された発明のように、所定方向に対する光源と残余の方向に対する光源との距離に応じた光量を設定してもよい。これにより、輝度を精度良く均一化することができる。
【００１７】
さらに、請求項７に記載された発明のように、映像が表示状態とされた方向に対する明るさの値を設定する明るさ設定手段とを備え、制御手段は、所定の光量として、明るさ設定手段により設定された明るさの値に応じた光量を設定する。このように、自動もしくはユーザの操作により、映像を表示する際の明るさを変更された場合であっても、その明るさに応じた光量を設定することで、より精度良く輝度を均一化することができる。
【００１８】
また、請求項１乃至７いずれか１項に記載の液晶表示装置を車両に搭載し、請求項８に記載された発明のように車両用液晶表示装置を構成してもよい。かかる車両用液晶表示装置において、制御手段は、乗員若しくは車両の状況に基づいて、いずれかの方向に対して映像を非表示状態とすべき状況か否かを判断することを特徴とする。
【００１９】
具体的には、請求項９に記載された発明のように、車両の座席に乗員が着座しているか否かを判定する着座判定手段を備え、着座判定手段により乗員が着座していない座席があると判定した場合、座席の方向に対する映像を非表示状態とする。
【００２０】
また、請求項１０に記載された発明のように、車両の乗員に対して表示すべき情報があるか否かを判定する表示情報有無判定手段を備え、表示情報有無判定手段により乗員に対して表示すべき情報がないと判定した場合、乗員の方向に対する映像を非表示状態としてもよい。
【００２１】
また、請求項１１に記載された発明のように、車両の乗員から所定の操作による指示があるか否かを判定する操作状況判定手段を備え、操作状況判定手段により乗員からの指示がないと判定した場合、乗員の方向に対する映像を非表示状態としてもよい。
【００２２】
また、請求項１２に記載された発明のように、車両が危険な地帯を走行中であるか否かを判定する道路状況判定手段を備え、道路状況判定手段により危険な地帯を走行中であると判定した場合、運転者の方向に対する映像を非表示状態としてもよい。
【００２３】
また、請求項１３に記載された発明のように、車両の運転者が液晶パネルの画面を見ても安全な状況であるか否かを判定する走行状況判定手段を備え、走行状況判定手段により安全な状況でないと判定した場合、運転者の方向に対する映像を非表示状態としてもよい。
【００２４】
さらに、請求項１４に記載された発明のように、車両の乗員の視線が液晶パネルの画面に向いているか否かを判定するユーザ状況判定手段を備え、ユーザ状況判定手段により乗員の視線が液晶パネルの画面に向いていないと判定した場合、乗員の方向に対する映像を非表示状態としてもよい。
【００２５】
このように、座席に乗員が着座しているか否か、乗員に対して表示すべき情報があるか否か、乗員から所定の操作による指示があるか否か、車両が危険な地帯を走行中であるか否か、運転者が液晶パネルの画面を見ても安全な状況であるか否か、乗員の視線が液晶パネルの画面に向いているか否かを判定し、条件を満たす場合には、自動的に映像を非表示状態とする。これにより、液晶パネルを照明する光源が消灯となり、消費電力を低減することができる。
【図面の簡単な説明】
【００２６】
【図１】第１の実施形態における液晶表示装置を構成する液晶表示部の概略断面図である。
【図２】第１の実施形態におけるバックライトを示す概略平面図である。
【図３】第１の実施形態における液晶表示装置の全体構成を示す図である。
【図４】バックライトにおける光の出射を示す説明図である。
【図５】デュアルビューモードにおける動作を示すタイムチャートである。
【図６】シングルビューモードにおける動作を示すタイムチャートである。
【図７】シングルビューモードにおいて、映像非表示とされた場合のタイムチャートである。
【図８】デュアルビューモードにおいて、左側の映像非表示とされた場合のタイムチャートである。
【図９】デュアルビューモードにおいて、右側に対して輝度設定された場合のタイムチャートである。
【図１０】第１の実施形態の変形例における液晶表示装置の概略断面図である。
【図１１】第２の実施形態におけるバックライトを示す概略平面図である。
【図１２】第３の実施形態における液晶表示装置の概略断面図である。
【図１３】トリプルビューモードにおける動作を示すタイムチャートである。
【図１４】トリプルビューモードにおいて、左側の映像非表示とされた場合のタイムチャートである。
【図１５】トリプルビューモードにおいて、左側と中央の映像非表示とされた場合のタイムチャートである。
【図１６】第４の実施形態における制御装置の機能を模式的に示す機能ブロック図である。
【図１７】第４の実施形態における車両用液晶表示装置の処理を示すフローチャートである。
【図１８】従来の液晶表示装置において、デュアルビューモードにおける動作を示すタイムチャートである。
【図１９】従来の液晶表示装置において、デュアルビューモードかつ左側の映像非表示とされた場合のタイムチャートである。
【発明を実施するための形態】
【００２７】
以下、本発明の実施形態について図面を参照しながら説明する。なお、ここで示す実施の形態はあくまでも一実施例であって、本発明は必ずしもこの実施の形態に限定されるものではない。
（第１の実施形態）
まず、第１の実施形態における液晶表示装置の構成について、図１乃至図３を用いて説明する。
【００２８】
図１は、本実施形態による液晶表示装置を構成する液晶表示部の概略断面図である。これは、視差バリアを用いることなく、異なる複数の方向に映像を表示するための構成である。以下においては、図１の紙面に平行で、かつ液晶パネル１２に平行な方向をｘ軸方向といい、図１の紙面に垂直な方向をｚ軸方向といい、ｘ軸及びｚ軸に直交する方向をｙ軸方向という。液晶表示部は、図１に示すように、映像を表示するための透過型の液晶パネル１２と、液晶パネル１２を照明するバックライト１１とから成る。
【００２９】
液晶パネル１２は、バックライト１１に対向して配置されている。また、ｘ軸方向に沿って左側表示用の画素１７ａと右側表示用の画素１７ｂが一定ピッチ毎に一列ずつ交互に配列されており、ｚ軸方向に沿っては同一の画素が配列されている。
【００３０】
バックライト１１は、光源１４ａ、１４ｂと、光源１４ａ、１４ｂから出射される光の指向特性を変更する偏向プレート１５と、それらを収容するケース１３と、ケース１３の前面を覆う光学シート１６とから成る。光学シート１６は、光の分布を滑らかにする働きがあり、例えば、拡散度合いの小さな拡散板や拡散シート、プリズムシート、偏光シートなどを用いることができる。
【００３１】
図２は図１に示すバックライト１１における光源１４ａ、１４ｂと偏向プレート１５の配置を示す概略平面図である。
【００３２】
光源１４ａ、１４ｂは、ケース１３内の底面に、ｘ軸方向に沿って、左側照明用の光源１４ａと右側照明用の光源１４ｂが交互に配列されている。そして、ｚ軸方向に沿った一列（一本）の左側照明用の光源１４ａと、ｚ軸方向に沿った一列（一本）の右側照明用の光源１４ｂとが一組となっている。ここで、光源１４ａ、１４ｂは発光ダイオード（ＬＥＤ）であり、図２に示すように、それぞれｚ軸方向に沿って複数個配列されている。白色発光する発光ダイオードとしては、青色ダイオードと蛍光体によって白色発光するようにしたもの、紫外光ダイオードと蛍光体によって白色発光するようにしたものを用いることができる。なお、光源としては、冷陰極管（ＣＣＦＬ）や熱陰極管（ＨＣＦＬ）であってもよい。冷陰極管の場合には、各冷陰極管の長さ方向がｚ軸方向となるように配置する。
【００３３】
偏向プレート１５はそれぞれ、図２に示すように、一組の光源１４ａ、１４ｂの前面に配置される。詳しくは、左側照明用の光源１４ａと右側照明用の光源１４ｂの高さ方向（ｚ軸方向）と平行に配置され、かつ、ｙ軸方向から見たとき、両光源１４ａ、１４ｂが偏向プレート１５の中心軸Ｑに関して対称となるように配置される。偏向プレート１５は、ｚ軸方向から見たとき、光源１４ａから出射した光を透過させて左側に傾いた斜め方向に指向特性を有する光に変換し、光源１４ｂから出射した光を透過させて右側に傾いた指向特性を有する光に変換する働きをする。すなわち、偏向プレート１５のうち左側用プレート１５ａ（中心軸Ｑより紙面に向かって右側）は光を左側に傾ける働きをし、右側用プレート１５ｂ（中心軸Ｑより紙面に向かって左側）は光を右側に傾ける働きをする。この偏向プレート１５は、左右の映像の投影される方向同士の角度が充分に広く（例えば、左右にそれぞれ４０度くらい）なるように設計する。
【００３４】
図３は、本実施形態による液晶表示装置１０の全体構成を示すブロック図である。
【００３５】
液晶表示装置１０は、制御装置１０１と、液晶パネル１２に表示される映像を左側から視認可能とする左側光源回路１０２と、液晶パネル１２に表示される映像を右側から視認可能とする右側光源回路１０３と、液晶パネル１２を含む液晶パネル装置１０４と、ユーザ設定部１０５とから成る。なお、左側光源回路１０２、右側光源回路１０３、及び液晶パネル装置１０４は、図１で示した液晶表示部を構成するものである。
【００３６】
制御装置１０１は、フラッシュメモリなどの不揮発性メモリから構成され、左側光源回路１０２、右側光源回路１０３及び液晶パネル装置１０４を制御するプログラムが格納される。そして、左側光源回路１０２及び右側光源回路１０３に対する電圧を制御する信号を出力し、光源１４ａ、１４ｂを点灯もしくは消灯させる。また、液晶パネル装置１０４に対して、左側表示用の画素１７ａ及び右側表示用の画素１７ｂの映像生成状態を制御する信号を出力する。光源１４ａ、１４ｂの点灯にあたっては、電圧を変化させることにより、その光量を制御する。光量の制御は、光源１４ａもしくは１４ｂの個々に対して電圧を制御してもよいし、光源１４ａもしくは１４ｂいずれか一方の全てに対して一括して電圧を制御してもよい。
【００３７】
左側光源回路１０２は、左側照明用の光源１４ａを含む回路であり、制御装置１０１からの信号により光源１４ａを点灯もしくは消灯する。同様に、右側光源回路１０３は、右側照明用の光源１４ｂを含む回路であり、制御装置１０１からの信号により点灯もしくは消灯する。
【００３８】
液晶パネル装置１０４は、液晶パネル１２及び液晶駆動回路（図示せず）から構成され、制御装置１０１からの信号により液晶パネル１２の左側表示用の画素１７ａは左側映像を生成し、右側表示用の画素１７ｂは右側映像を生成する。
【００３９】
ユーザ設定部１０５は、スイッチ等により、シングルビューモードもしくはデュアルビューモードの設定、映像表示もしくは映像非表示、映像ソースの選択、輝度設定など、ユーザからの設定を受け付け、その設定内容を記憶する。
【００４０】
なお、本実施形態において、デュアルビューモードは２画面表示モードを意味し、左側と右側それぞれ独立して映像ソースの選択や、映像表示もしくは非表示状態の設定が可能である。すなわち、左側と右側とで異なる映像を表示できる場合がデュアルビューモードである。これに対し、シングルビューモードは１画面表示モードを意味し、左側と右側それぞれ独立して選択や設定をすることはできない。すなわち、全ての方向に対して一括して映像ソースの選択や、映像表示もしくは非表示状態の設定が可能である。
【００４１】
次に、液晶表示装置１０をデュアルビュー液晶ディスプレイとして機能させるための原理について、図４及び図５を用いて説明する。
【００４２】
図４は、液晶パネル１２を背面側から照明する光の指向特性を示す図である。左側光源回路１０２により、すべての左側照明用の光源１４ａが同時に点灯されると、図４に示すように、左側照明用の各光源１４ａからは、偏向プレート１５に垂直な方向に指向特性を持つ光が出射される。この光は、偏向プレート１５を透過する際に左方向へ傾けられて偏向プレート１５に垂直な方向から左方向へ傾いた指向特性の光となる。さらに、光学シート１６でわずかに指向特性を広げられ、左側方向へ出射される光ＬＬとなる。このとき、液晶パネル１２の左側表示用の画素１７ａに映像が生成されていると、画素１７ａを透過することによって生じた左側映像が左方向へ投影される。よって、液晶表示装置１０から見て左側に位置する人からは、左側映像が視認される。
【００４３】
同様に、右側光源回路１０３により、すべての右側照明用の光源１４ｂが同時に点灯されると、右側照明用の各光源１４ｂからは、偏向プレート１５に垂直な方向に指向特性を持つ光が出射される。この光は、偏向プレート１５を透過する際に右方向へ傾けられて偏向プレート１５に垂直な方向から右方向へ傾いた指向特性の光となる。さらに、光学シート１６でわずかに指向特性を広げられ、右側方向へ出射される光ＬＲとなる。このとき、液晶パネル１２の右側表示用の画素１７ｂに映像が生成されていると、画素１７ｂを透過することによって生じた右側画像が右方向へ投影される。よって、液晶表示装置１０から見て右側に位置する人からは、右側映像が視認される。
【００４４】
さらに、左側映像と右側映像との重なりを防ぐため、左側映像と右側映像とを時分割的に交互に生成する。図５はこの様子を表したタイムチャートである。図５において、光源１４ａ、１４ｂのＯＮは点灯期間を示し、ＯＦＦは消灯期間を示す。また、画素１７ａ、１７ｂのＯＮは映像生成状態を示し、ＯＦＦは全ての画素が遮蔽状態となっていることを示す。
【００４５】
図５に示すように、左側照明用の光源１４ａと右側照明用の光源１４ｂは、いずれも等しい時間間隔で交互に点灯（ＯＮ）と消灯（ＯＦＦ）を繰り返し、しかも、光源１４ａと光源１４ｂは交互に点灯する。すなわち、左側照明用の光源１４ａと右側照明用の光源１４ｂは、所定間隔毎に交互に点灯される。また、左側表示用の画素１７ａは、左側照明用の光源１４ａの点灯と同期して左側映像を生成しており、右側照明用の光源１４ｂの点灯時には遮蔽状態となっている。右側表示用の画素１７ｂは右側照明用の光源１４ｂの点灯と同期して右側映像を生成しており、左側照明用の光源１４ａの点灯時には遮蔽状態となっている。
【００４６】
よって、右側映像と左側映像とは重なり合うことがなく、左側では左側映像のみが鑑賞され、右側では右側映像のみが鑑賞される。さらに、残像によって滑らかな映像が鑑賞されるよう、前述の所定間隔、すなわち、光源１４ａ、１４ｂの点灯と消灯の時間間隔は十分に短く設定されている。
【００４７】
続いて、ユーザがシングルビューモードを選択した場合、及びデュアルビューモードを選択した場合の制御について、図６乃至図９を用いて説明する。
【００４８】
まず、シングルビューモードにおいて、映像表示状態（画面表示オン）となっている場合の制御装置１０１の制御について図６を用いて説明する。図６は、映像ソースＡを左側表示用の画素１７ａとして出力する場合のタイムチャートである。画素１７ａに映像ソースＡを常時生成（ＯＮ）し、他方の画素１７ｂは常時遮蔽状態（ＯＦＦ）とする。そして、左側照明用の光源１４ａ及び右側照明用の光源１４ｂは常時点灯させる。これにより、いずれの方向からも、同一の映像ソースＡが鑑賞される。
【００４９】
次に、シングルビューモードにおいて、ユーザが映像非表示状態（画面表示オフ）を選択した場合の制御装置１０１の制御について図７を用いて説明する。図７のタイムチャートに示すように、制御装置１０１は、光源１４ａ、１４ｂを常時消灯（ＯＦＦ）するとともに、画素１７ａ、１７ｂを常時遮蔽状態（ＯＦＦ）とする。これにより、液晶パネル１２は、いずれの方向から見ても画面表示オフ、すなわち黒画面となる。なお、デュアルビューモードにおいて、左側、右側ともにユーザが映像非表示状態（画面表示オフ）を選択した場合も、同様である。
【００５０】
次に、デュアルビューモードにおいて、右側及び左側ともに映像表示状態（画面表示オン）となっている場合の制御装置１０１の制御について説明する。この場合、図５に示すタイムチャートと同様、制御装置１０１は、左側表示用の画素１７ａには映像ソースＡが、右側表示用の画素１７ｂには映像ソースＢが、時分割的に交互に生成されるよう制御する。なお、左側と右側の中間領域では、映像ソースＡと映像ソースＢとが重なった映像が鑑賞されることとなる。
【００５１】
続いて、デュアルビューモードにおいて、左側もしくは右側の一方を映像非表示状態（画面表示オフ）とし、他方を映像表示状態（画面表示オン）とした場合の制御装置１０１の制御について、図８を用いて説明する。なお、本制御が、本実施形態の作用に相当するものである。図８は、デュアルビューモードにおいて、ユーザが左側の映像非表示状態（画面表示オフ）を選択した場合のタイムチャートである。
【００５２】
制御装置１０１は、右側照明用の光源１４ｂの点灯と同期して右側表示用の画素１７ｂに映像ソースＢを生成（ＯＮ）し、右側照明用の光源１４ｂの消灯と同期して右側表示用の画素１７ｂを遮蔽状態とする。そして、左側表示用の画素１７ａを常時遮蔽状態（ＯＦＦ）とする。
【００５３】
このとき、右側照明用の光源１４ｂが点灯することにより、わずかではあるが、左側方向に対して出射される光ＬＬ、すなわち光漏れが生じる。光源１４ａ、１４ｂは、図２で示したように、ｘ軸方向に沿って交互に配列されており、光源から出射された光は、偏向プレート１５により、右側、左側それぞれの方向へ傾けられる。右側照明用の光源１４ｂが点灯したとき、その光の一部が左側用プレート１５ａにより左方向へ傾けられ、左側方向へ出射される光ＬＬとなる。あたかも左側照明用の光源１４ａがわずかに点灯したような状態であり、この点、右側照明用の光源１４ｂから左側照明用の光源１４ａへの光漏れと考えることもできる。さらに、右側照明用の光源１４ｂから出射された光が右側用プレート１５ｂを通過した際、一部の光の指向特性が変換されず、ｙ軸方向へ出射された場合も、光漏れとなりうる。従って、左側照明用の光源１４ａを常時消灯（ＯＦＦ）とし、右側照明用の光源１４ｂが点灯と消灯とを繰り返すと、左側から見えている黒画面に対して、ちらつきが発生する。
【００５４】
そこで、制御装置１０１は、図８に示すように、左側照明用の光源１４ａの光量を制御する。すなわち、右側照明用の光源１４ｂの消灯と同期して、左側照明用の光源１４ａを光量α１で点灯させるよう、左側光源回路１０２の電圧を制御する。そして、右側照明用の光源１４ｂの点灯と同期して、左側照明用の光源１４ａを消灯させる。
【００５５】
ここで、光量α１は、右側照明用の光源１４ｂが点灯することにより左側方向に対して生じる光漏れ量、もしくは光漏れ度合いに応じた光量である。好ましくは、その光漏れ量と同じ量の光が左側方向へ出射されるような光量にするとよい。そのため、実験等により、光量α１の値を段階的に変化させることで、最適な値を抽出し、予め設定しておくとよい。また、右側照明用の光源１４ｂから出射される光のうち、どの程度が左側方向への光漏れとなるかを測定や計算により導き、光量α１を設定してもよい。
【００５６】
また、光量α１は、左側照明用の光源１４ａに対する右側照明用の各光源１４ｂからの光漏れ量の総和に応じた光量としてもよい。図２のように光源が複数配置されている場合は、それぞれの光源から生じる光漏れ量の和を考慮することで、より精度良く黒画面の輝度を均一化できる。
【００５７】
なお、本実施例ではユーザが左側に対して映像非表示状態（画面表示オフ）を選択した場合を説明したが、反対に、右側に対して映像非表示状態（画面表示オフ）を選択した場合も同様である。また、映像ソースは必ずしも異なる必要はなく、同一の映像ソースであってもよい。
【００５８】
以上説明したように、本実施形態によれば、右側照明用の光源１４ｂの消灯と同期して、左側照明用の光源１４ａを、光源１４ｂが点灯することにより左側方向に対して生じる光漏れ量に応じた光量α１で点灯させるよう制御するため、左側から見えている黒画面の輝度が常に均一となり、ちらつきを抑制することができる。そのため、黒画面がユーザの視界に入った場合、ちらつきによる不快感を低減することができる。また、視差バリアを用いない構成であるため、光利用効率が高い液晶ディスプレイとなる。
（第１の実施形態の変形例１）
第１の実施形態では、右側方向に対する明るさ、すなわち右側照明用の光源１４ｂの輝度を一定とした下で、左側照明用の光源１４ａを光量α１にて点灯制御する液晶表示装置について説明した。ここでは、さらに、ユーザが右側方向に対する明るさを変更した場合における左側照明用の光源１４ａの制御について、図９を用いて説明する。
【００５９】
図９は、ユーザにより、右側の輝度設定を標準より一段階明るく変更された場合のタイムチャートである。制御装置１０１は、変更後の輝度設定に応じて左側照明用の光源１４ａに対する光量α２を設定し、点灯制御を行う。例えば、輝度設定が標準の場合に上述した光量α１であった場合、輝度設定における一段階ごとの明るさの変化量が５％であれば、光量α１を５％増加させた値を光量α２として設定する。
【００６０】
このように、右側照明用の光源１４ｂの消灯と同期して、左側照明用の光源１４ａを輝度設定も考慮した光量α２で点灯制御することで、より精度よく黒画面のちらつきを抑制することができる。
（第１の実施形態の変形例２）
第１の実施形態では、視差バリアを用いることなく、異なる複数の方向に映像を表示する液晶表示装置として、図１に示す偏向プレートを用いたバックライトを一例に挙げた。しかしながら、本発明は、図１に限定されることなく、視差バリアを用いずに映像を時分割的に交互に生成させるデュアルビュー液晶表示装置であれば、種々の形態に適用することができる。
【００６１】
例えば、図１０に示す液晶表示装置１０のように、左側バックライト１１ａと右側バックライト１１ｂを斜めに配置することで、偏向プレートを用いることなく、指向特性を有する光を生成する構成としてもよい。本構成においても、デュアルビューモードにおいて、右側バックライト１１ｂが点灯することにより、わずかではあるが、左側方向に対して光漏れが生じる。そのため、右側バックライト１１ｂからの光漏れ量に応じた光量で左側バックライト１１ａを点灯制御することで、ちらつきを抑制することができる。
（第２の実施形態）
第２の実施形態では、左側照明用の光源１４ａと右側照明用の光源１４ｂを各々複数隣り合って配列した場合の点灯制御について説明する。本実施形態では、図２のバックライト１１に代えて、図１１のバックライト１１を用いる。すなわち、図２のバックライト１１が、左側照明用の光源１４ａと右側照明用の光源１４ｂが交互に１本ずつ配列されるのに対し、図１１のバックライト１１は、紙面向かって右側に左側照明用の光源１４ａが４本配列され、紙面向かって左側に右側照明用の光源１４ｂが４本配列される。
【００６２】
まず、本実施形態におけるバックライト１１の構成について説明する。図１１は、バックライト１１における光源１４ａ、１４ｂと偏向プレート１５ａ、１５ｂの配置を示す概略平面図である。左側照明用の光源１４ａは、ｚ軸方向に沿った一列の光源１４ａ１〜１４ａ４で構成される。光源１４ａの前面には、偏向プレート１５ａが配置されている。偏向プレート１５ａは、ｚ軸方向から見たとき、光源１４ａから出射した光を透過させて左側に傾いた斜め方向に指向特性を有する光に変換する働きをする。一方、右側照明用の光源１４ｂは、ｚ軸方向に沿った一列の光源１４ｂ１〜１４ｂ４で構成される。光源１４ｂの前面には、偏向プレート１５ｂが配置されている。偏向プレート１５ｂは、光源１４ｂから出射した光を透過させて右側に傾いた指向特性を有する光に変換する働きをする。偏向プレート１５ａ、１５ｂは、左右の映像の投影される方向同士の角度が充分に広く（例えば、左右にそれぞれ４０度くらい）なるよう設計する。
【００６３】
次に、バックライト１１を液晶表示装置１０に適用した際の動作について説明する。左側光源回路１０２により、すべての左側照明用の光源１４ａが同時に点灯されると、図４で示したように、左側方向へ出射される光ＬＬとなる。このとき、液晶パネル１２の左側表示用の画素１７ａに映像が生成されていると、画素１７ａを透過することによって生じた左側映像が左方向へ投影される。よって、液晶表示装置１０から見て左側に位置する人からは、左側映像が認識される。
【００６４】
同様に、右側光源回路１０３により、すべての右側照明用の光源１４ｂが同時に点灯されると、右側方向へ出射される光ＬＲとなる。このとき、液晶パネル１２の右側表示用の画素１７ｂに映像が生成されていると、画素１７ｂを透過することによって生じた右側画像が右方向へ投影される。よって、液晶表示装置１０から見て右側に位置する人からは、右側映像が認識される。
【００６５】
そして、第１の実施形態で示した図５のタイムチャートと同様、時分割的に交互に映像を生成し、映像の生成と同期して光源を点灯させることにより、左側では左側映像（映像ソースＡ）のみを、右側では右側映像（映像ソースＢ）のみを鑑賞することができる。
【００６６】
続いて、デュアルビューモードにおいて、ユーザが左側に対して映像非表示状態（画面表示オフ）を選択した場合について説明する。右側照明用の光源１４ｂ１〜１４ｂ４が点灯することにより、わずかではあるが、左側方向に対して出射される光ＬＬ、すなわち光漏れが発生する。そのため、右側照明用の光源１４ｂが点灯と消灯とを繰り返すと、左側から見えている黒画面に対して、ちらつきが発生する。
【００６７】
ここで、左側方向に対する光漏れを、右側照明用の光源１４ｂから左側照明用の光源１４ａへの光漏れと考えた場合、光源１４ａ１への光漏れ量が最も多く、次いで１４ａ２、１４ａ３の順となり、光源１４ａ４への光漏れ量が最も少なくなる。すなわち、点灯する右側照明用の光源１４ｂとの距離が近いほど光漏れ量が多く、遠いほど光漏れ量が少ないと言える。
【００６８】
そこで、制御装置１０１は、左側照明用の光源１４ａ１〜１４ａ４に対し、それぞれ独立して点灯時の光量を制御する。そして、各光源１４ａ１〜１４ａ４に生じる光漏れ量（もしくは光漏れ度合い）に応じた光量で各光源１４ａ１〜１４ａ４を点灯させる。すなわち、光源１４ａ１の光量を最も高く、次いで１４ａ２、１４ａ３の順とし、光源１４ａ４の光量を最も低く設定する。換言すれば、点灯する光源からの距離に応じた光量で各光源１４ａ１〜１４ａ４を点灯させることとなる。ここで、点灯させる光量は、実験等により、予め最適な値を設定しておけばよく、また、点灯する光源からの距離に応じて計算してもよい。なお、光源１４ａ、１４ｂの点灯、及び画素１７ａ、１７ｂの生成タイミングは、図８に示すタイムチャートと同様である。
【００６９】
このように、各光源１４ａ１〜１４ａ４への光漏れ量を考慮し、その光漏れ量に応じた光量を光源１４ａ１〜１４ａ４それぞれに対して設定する。そして、右側照明用の光源１４ｂ１〜１４ｂ４の消灯と同期し、左側照明用の光源１４ａ１〜１４ａ４を各々の光量で独立して点灯制御することにより、黒画面の輝度をより均一化することができる。
（第３の実施形態）
第３の実施形態では、左、右及び中央の３方向に映像を表示し、トリプルビューディスプレイとして機能する液晶表示装置１０について説明する。
【００７０】
まず、本実施形態の液晶表示装置１０の構成について図１２を用いて説明する。バックライト１１は、左側照明用の光源１４ａと右側照明用の光源１４ｂの間に、中央照明用の光源１４ｃを配置する。中央に配置した光源１４ｃの光は、偏向プレート１５を透過した後も偏向プレート１５に垂直な方向の指向性を有する光として出射される。液晶パネル１２には、左側表示用の画素１７ａ、右側表示用の画素１７ｂ、中央表示用の画素１７ｃを設ける。
【００７１】
次に、液晶表示装置１０をトリプルビュー液晶ディスプレイとして使用する際の動作について、図１３のタイムチャートを用いて説明する。液晶パネル１２には、図１３に示すように、画素１７ａ、１７ｂ及び１７ｃを時分割的に順次表示状態とする。左側表示用の画素１７ａの生成に同期させて左側照明用の光源１４ａを点灯する。また、中央表示用の画素１７ｃの生成に同期させて中央照明用の光源１４ｃを点灯し、右側表示用の画素１７ｂの生成に同期させて右側照明用の光源１４ｂを点灯する。これにより、左側方向、右側方向及び中央方向の３方向で異なる映像を鑑賞できるようになる。
【００７２】
次に、ユーザが左側方向に対して映像非表示状態（画面表示オフ）を選択した場合について、図１３のタイムチャートを用いて説明する。制御装置１０１は、中央照明用の光源１４ｃの点灯と同期して中央表示用の画素１７ｃに映像ソースＣを生成し、中央照明用の光源１４ｃの消灯と同期して中央表示用の画素１７ｃを遮蔽状態とする。また、右側照明用の光源１４ｂの点灯と同期して右側表示用の画素１７ｂに映像ソースＢを生成し、右側照明用の光源１４ｂの消灯と同期して右側表示用の画素１７ｂを遮蔽状態とする。そして、左側表示用の画素１７ａを常時遮蔽状態とする。これにより、右側からは映像ソースＢが鑑賞され、中央からは映像ソースＣが鑑賞される。
【００７３】
このとき、右側照明用の光源１４ｂ、中央照明用の光源１４ｃが点灯することにより、左側方向への光漏れが発生する。
【００７４】
そこで、制御装置１０１は、図１４のタイムチャートに示すように左側照明用の光源１４ａを点灯制御する。すなわち、光源１４ｂ、１４ｃの消灯と同期して、左側照明用の光源１４ａを光量α３で点灯させるよう電圧を制御する。さらに、光源１４ｂ、１４ｃの点灯の点灯と同期して、左側照明用の光源１４ａを消灯させる。
【００７５】
ここで、光量α３は、右側照明用の光源１４ｂが点灯することにより生じる光漏れ量と、中央照明用の光源１４ｃが点灯することに生じる光漏れ量とを考慮した値とする。好ましくは、両光源からの光漏れ量の平均値に応じた光量にするとよい。例えば、実験等により、中央照明用の光源１４ｃからの光漏れ量が５％、右側照明用の光源１４ｂからの光漏れ量が２％と予め分かっていた場合、光量α３が３．５％となるように左側光源回路１０２を制御する。
【００７６】
このように、光源１４ｂ及び１４ｃの消灯に同期して、左側照明用の光源１４ａを、光源１４ｂ及び１４ｃからの光漏れ量に応じて設定された光量α３で点灯制御することにより、左側から見えている黒画面の輝度を均一に近づけることができる。それゆえ、映像非表示状態の場合に生じるちらつきを抑制することができる。
【００７７】
なお、本実施形態ではユーザが左側方向に対して映像非表示状態（画面表示オフ）を選択した場合を説明したが、中央もしくは右側方向に対して映像非表示状態（画面表示オフ）を選択した場合も同様である。
（第３の実施形態の変形例）
本実施形態の変形例として、ユーザが左側方向だけでなく中央方向に対しても映像非表示状態（画面表示オフ）を選択した場合について説明する。図１５は、左側方向及び中央方向に対して映像非表示状態（画面表示オフ）を選択した場合のタイムチャートである。制御装置１０１は、右側照明用の光源１４ｂの点灯と同期して右側表示用の画素１７ｂに映像ソースＢを生成（ＯＮ）し、右側照明用の光源１４ｂの消灯と同期して右側表示用の画素１７ｂを遮蔽状態とする。これにより、右側からは映像ソースＢが鑑賞される。
【００７８】
このとき、右側照明用の光源１４ｂが点灯することにより、左側方向及び中央方向に対する光漏れが発生する。
【００７９】
そこで、制御装置１０１は、図１５に示すタイムチャートのように光源１４ａ及び１４ｃを点灯制御する。すなわち、右側照明用の光源１４ｂの消灯と同期して、左側照明用の光源１４ａを光量α４で点灯させるよう電圧を制御する。そして、右側照明用の光源１４ｂの点灯と同期して、左側照明用の光源１４ａを消灯させる。同様に、右側照明用の光源１４ｂの消灯と同期して、中央照明用の光源１４ｃを光量α５で点灯させるとともに、右側照明用の光源１４ｂの点灯と同期して、中央照明用の光源１４ｃを消灯させる。
【００８０】
ここで、光量α４は、右側照明用の光源１４ｂが点灯することにより、左側方向へ生じる光漏れ量に応じた光量である。同様に、光量α５は、右側照明用の光源１４ｂが点灯することにより、中央方向へ生じる光漏れ量に応じた光量である。この光量α５は、光量α４より大きな値として設定される。これは、左側照明用の光源１４ａよりも中央照明用の光源１４ｃの方が右側照明用の光源１４ｂに近いため、左側方向よりも中央方向へ生じる光漏れ量の方が大きくなると考えられるからである。これら光量は、実験等により、予め最適な値を設定しておけばよく、また、点灯する光源からの距離に応じて計算してもよい。
【００８１】
このように、いずれの画素も生成されていない期間、左側照明用の光源１４ａ及び中央照明用の光源１４ｃを、それぞれの方向に生じる光漏れ量に応じた光量で点灯制御することにより、左側の黒画面も中央の黒画面も輝度が均一となる。それゆえ、映像非表示状態に生じるちらつきを抑制することができる。
【００８２】
なお、本実施例ではユーザが左側及び中央方向に対して映像非表示状態（画面表示オフ）を選択した場合を説明したが、右側、中央、左側いずれの方向の組み合わせでも同様である。
（第４の実施形態）
上述の実施形態では、映像非表示状態（画面表示オフ）をユーザが選択する液晶表示装置について説明した。本実施形態では、液晶表示装置１０が車両に搭載され、自動的に映像非表示状態（画面表示オフ）とされる場合について説明する。
【００８３】
まず、本実施形態における制御装置１０１の機能ブロックについて、図１６に示す構成図を用いて説明する。図１６に示すように、制御装置１０１は、表示制御部１１１、ユーザ状況判定部１１２、着座状況判定部１１３、走行状況判定部１１４、道路状況判定部１１５、表示情報有無判定部１１６及び操作状況判定部１１７から構成される。
【００８４】
表示制御部１１１は、左側光源回路１０２及び右側光源回路１０３に対する電圧を制御する信号を出力し、光源１４ａ、１４ｂを点灯もしくは消灯させる。また、液晶パネル装置１０４に対して、左側表示用の画素１７ａ及び右側表示用の画素１７ｂの映像生成状態を制御する信号を出力する。
【００８５】
ユーザ状況判定部１１２は、カメラ等を含むよう構成され、ユーザの視線を検知し、視線が液晶表示装置１０の画面を向いているか否かを判定する。着座状況判定部１１３は、着座センサ等により構成され、助手席もしくは運転席にユーザが座っているか否かを判定する。
【００８６】
走行状況判定部１１４は、車速センサや操舵角センサを含むよう構成され、車両の操舵に注力すべき状況か、すなわち画面を見ても安全な状況か否かを判定する。例えば、渋滞中のように、操舵角が小さく、かつ車速が低速である場合には、画面を見ても安全な状況であると判定する。一方、右左折中のように操舵角が大きい場合や、高速道路のように車速が高速である場合には、車両の操舵に注力すべき状況であり、画面を見ても安全な状況ではないと判定する。
【００８７】
道路状況判定部１１５は、ＧＰＳから受信するデータや地図データに基づき、車両が危険な地帯を走行中か否かを判定する。表示情報有無判定部１１６は、交差点付近での誘導案内や渋滞情報等、ユーザへ提示すべき情報があるか否かを判定する。操作状況判定部１１７は、ユーザによるスイッチ等の操作や音声入力コマンドにより指示があるか否かを判定する。
【００８８】
そして、各判定部からの判定結果に基づき、表示制御部１１１は、デュアルビューモードにおいて、いずれかの方向に対して映像非表示状態（画面表示オフ）にすべきか否かを判断する。映像非表示状態にすべきと判断した場合、上述の各実施形態で述べたように、光量α１〜α５にて点灯制御することで、黒画面の輝度を均一化する。
【００８９】
次に、各機能ブロックにより処理される本実施形態の作用について図１７のフローチャートを用いて説明する。
【００９０】
まず、ステップＳ１０１で、助手席に人が座っているか否かを判定する。人が座っていないと判定された場合（ステップＳ１０１：ＮＯ）、ステップＳ１０２にて、助手席側（右側）の映像を非表示とすべく、右側光源回路１０３及び液晶パネル装置１０４を制御する。一方、ステップＳ１０１にて、助手席に人が座っていると判定された場合（ステップＳ１０１：ＹＥＳ）は、ステップＳ１０３へ進む。
【００９１】
ステップＳ１０３では、運転者へ提示すべき情報があるか否かを判定する。提示すべき情報がないと判定された場合（ステップＳ１０３：ＮＯ）、ステップＳ１０４にて、運転者によるスイッチ操作や音声入力コマンドによる指示があるか否かを判定する。指示がないと判定された場合（ステップＳ１０４：ＮＯ）、ステップＳ１０５において、運転席側（左側）の映像を非表示とすべく、左側光源回路１０２及び液晶パネル装置１０４を制御する。一方、ステップＳ１０３にて提示すべき情報があると判定された場合（ステップＳ１０３：ＹＥＳ）、及びステップＳ１０４にて指示があると判定された場合（ステップＳ１０４：ＹＥＳ）は、ステップＳ１０６へ進む。
【００９２】
ステップＳ１０６では、車両が危険な地帯を走行中か否かを判定する。危険な地帯を走行中であると判定された場合（ステップＳ１０６：ＹＥＳ）、ステップＳ１０５にて、運転席側（左側）の映像を非表示とする。一方、危険な地帯を走行中でないと判定された場合（ステップＳ１０６：ＮＯ）、ステップＳ１０７へ進む。
【００９３】
ステップＳ１０７では、運転者が画面を見ても安全な状況か否かを判定する。安全な状況でないと判定された場合（ステップＳ１０７：ＮＯ）、ステップＳ１０５にて、運転席側（左側）の映像を非表示とする。一方、安全な状況であると判定された場合（ステップＳ１０７：ＹＥＳ）、ステップＳ１０８へ進む。
【００９４】
ステップＳ１０８では、運転者の視線が画面を向いているか否かを判定する。運転者の視線が画面を向いていないと判定された場合（ステップＳ１０８：ＮＯ）、運転席側（左側）の映像を非表示とする。一方、運転者の視線が画面を向いていると判定された場合（ステップＳ１０８：ＹＥＳ）、運転席側（左側）の映像を表示状態としたまま、処理を終了する。
【００９５】
このように、画面を見る必要がない、あるいは、画面を見てもよい状況でない場合には、自動的に映像を非表示（画面表示オフ）とすることで、消費電力を低減することができる。そして、特定の方向に対して映像非表示の状態となる場合には、上述の各実施形態で述べたように、光量α１〜α５にて点灯制御することで、黒画面の輝度を均一化するとよい。
【００９６】
なお、上述した実施形態では、左側、右側、中央といった横方向で異なる映像を鑑賞できる液晶表示装置について説明した。しかしながら、本発明は、上側、下側といった縦方向で異なる映像を鑑賞できる液晶表示装置においても適用可能である。
【００９７】
また、本発明は、上述した実施形態の構成要素を適宜組み合わせることが可能であり、その組み合わせにより多くのバリエーションが可能となる。さらに、本発明は、互いに異なる方向が４以上の場合についても適用可能である。
【符号の説明】
【００９８】
１０  液晶表示装置
１１、１１ａ、１１ｂ  バックライト
１２  液晶パネル
１３  ケース
１４ａ、１４ｂ、１４ｃ  光源
１５、１５ａ、１５ｂ  偏向プレート
１６  光学シート
１７ａ、１７ｂ、１７ｃ  画素
【図１】
2011252940.tif 000003
【図２】
2011252940.tif 000004
【図３】
2011252940.tif 000005
【図４】
2011252940.tif 000006
【図５】
2011252940.tif 000007
【図６】
2011252940.tif 000008
【図７】
2011252940.tif 000009
【図８】
2011252940.tif 000010
【図９】
2011252940.tif 000011
【図１０】
2011252940.tif 000012
【図１１】
2011252940.tif 000013
【図１２】
2011252940.tif 000014
【図１３】
2011252940.tif 000015
【図１４】
2011252940.tif 000016
【図１５】
2011252940.tif 000017
【図１６】
2011252940.tif 000018
【図１７】
2011252940.tif 000019
【図１８】
2011252940.tif 000020
【図１９】
2011252940.tif 000021